(57)【要約】【課題】家庭、食品工業、農・工業用水等の汚水、雑排水等の汚水を回転逆洗ろ過手段により処理しすることで、生物処理槽の循環処理が可能となり、処理効率のアップとトータル処理能力の向上を計り、簡単に確実に処理すること。【解決手段】汚水を回転逆洗ろ過手段１０１により処理し、この物理処理された処理水をさらに生物処理槽１０２にて循環処理したり、この回転逆洗ろ過手段や生物処理槽を所望数にしたり、生物処理槽の底部を移送側から返送側へ浅くなるように傾斜させたり、生物処理槽の移送側と返送側との間を循環ポンプ１０４を介在させた送水管１０５で連結したり、生物処理槽の移送側と返送側との間を縦横の枠状の仕切り壁により独立したろ過膜担体を装着したりした汚水の処理方法とその処理装置である。【選択図】　　　図９
2004050165.tif 000002
【特許請求の範囲】
【請求項１】
汚水を回転逆洗ろ過手段により処理し、この物理処理された処理水を生物処理槽にて循環処理したことを特徴とする汚水の処理方法。
【請求項２】
汚水を並設した複数の回転逆洗ろ過手段により処理し、各々の物理処理された処理水をさらに並設した複数の生物処理槽にて循環処理したことを特徴とする汚水の処理方法。
【請求項３】
前記生物処理槽の底部を移送側から返送側へ浅くなるように傾斜したことを特徴とする請求項１又は請求項２に記載の汚水の処理方法。
【請求項４】
回転逆洗砂ろ過装置と生物処理槽とを送水管で連結し、この生物処理槽の移送側と返送側との間を循環ポンプを介在させた送水管で連結したことを特徴とする汚水の処理装置。
【請求項５】
並設した複数の回転逆洗ろ過過装置と、各々の物理処理された処理水をさらに並設した複数の生物処理槽とをそれぞれ送水管で連結し、これらの生物処理槽の移送側と返送側との間を循環ポンプを介在させた送水管でそれぞれ連結したことを特徴とする汚水の処理装置。
【請求項６】
前記生物処理槽の底部を移送側から返送側へ浅くなるように傾斜した底とし、この移送側底部に汚物の排出口を設けたことを特徴とする請求項４又は請求項５に記載の汚水の処理装置。
【請求項７】
前記生物処理槽の移送側と返送側との間を縦横の枠状の仕切り壁内に独立したろ過膜担体を装着した生物処理槽にしたことを特徴とする請求項４乃至請求項６のいずれか１項に記載の汚水の処理装置。
【発明の詳細な説明】
【０００１】
【発明の属する技術分野】
本発明は、河川水、湖沼水、池水、地下水、家庭汚水・雑排水、食品工業用水、農漁、工業用水等の汚水を逆洗式の物理ろ過手段により固形汚物を処理することで、生物処理槽の循環処理が可能となり、生物処理槽の効率をアップさせ、トータルとして汚水処理能力の向上が計れる逆洗式の物理ろ過手段と循環式の生物処理槽とに関するものである。
【０００２】
【従来の技術】
従来より、河川水、湖沼水、池水、地下水、家庭排水、食品工業や農業・漁業・工業用水等の排水・用水、雑排水等の汚水は物理的にじんあいを吸着して除去しても、生物処理槽が必要であり、また、一種の物理的ろ過装置である膜処理装置のものでも生物処理槽が必要であり、膜処理装置や生物処理槽によりコストアップとなる。これらの種々な処理装置の洗浄が不十分であったり、濾材の洗浄に大容量の洗浄水と時間とを要したり、浮遊物質の回収装置が複雑で種々の槽が必要となり、その処理装置が大型化すると云う欠点がある。
【０００３】
また、河川水、湖沼水、池水、地下水の汚水処理として、生物処理槽で処理したものを膜ろ過装置へと送り浄水処理するもの（特開平１０−２９０９９３号公報）があるが、本発明とは逆な発想で生物処理槽が完全に、確実に、効率よく稼働しないと思われる、さらに、特開平１１−１９６８４号公報、実公平７−１７４３８号公報や特開２００２−４５８８９号公報のように、生物処理槽の前後に沈殿池または沈殿槽や生物処理槽の後に分離手段を設けるものもあるが、設備が大型になったり、分離手段のメンテナンスに時間と労力がひつようである、さらには特開２０００−２６３０２３号公報のように、有機性固形物と液状物とに分離する固液分離槽と、この分離した液状物をオゾン処理するものがあるが、小型化はできるが、湖沼水等の大きな水域の水処理には適しない、さらに特開平９−１１７７９４号公報のようなろ過膜モジュールとしたり、実公平７−５３７５９号公報のようにろ過膜を複数の担体とした生物処理槽があるが、単にろ過膜を複数にするたけてあり、本発明のような汚水を逆洗式の物理ろ過手段により固形汚物を処理することで、生物処理槽の循環処理が可能となり、生物処理槽の効率をアップさせ、トータルとして汚水処理能力の向上が計れる逆洗式の物理ろ過手段と循環式の生物処理槽との組み合わせたものではない。
【０００４】
本願発明者等は、さきに、特許第３１７７８８２号、特許第３１７７８８３号、特許第２７７３０３０号のように、ろ過網の面積を拡げてろ過効率を上げるとともに、逆洗時にろ過網に濾材を摺動接触させて、無理なくろ過網に付着した汚物や懸濁物等を破壊し除去でき、かつ従来の固定式で逆洗式ろ過装置に比べて略１／１０という少ない洗浄水でろ材の洗浄が可能な回転式で逆洗式ろ過装置を提案した。また、ろ過網をウェジワイヤーであって、洗浄時にドラムの内部で粒状ろ材同志の擦り合わせを発生させ、粒状ろ材を破壊することなく、それでいて捕集された懸濁物をより無理なく簡単に略完全に除去できるろ過装置をも提案した。また、ドラムの内壁とろ過網の裏面とは間隔がなく、ろ過網の裏側まで洗浄するものではないので、長期の使用時にどうしてもろ過網の裏面に汚物が着いたり、藻類等が付着したり、黴等の発生の原因ともなっていた。そこで、板状のろ過網とドラムの内壁間にろ過時もろ過網の裏面の自浄機能と藻類等の付着防止機能とを有することで、汚れや藻類等が付着したり、黴等が発生することを防止すると共に汚れ等が付着してもドラムの回転により自動的に洗浄してくれるろ過装置を提案した。そこで、さらに、汚水をこのような逆洗式の物理ろ過手段により固形汚物を処理することで、生物処理槽の循環処理が可能となり、酸素補給と栄養補給との作用促進させて微生物を活性化させ、大きな処理となし、生物処理槽の効率をアップさせ、トータルとして汚水処理能力の向上が計れる逆洗式の物理ろ過手段と循環式の生物処理槽とにより効率的に処理できることを知見した。
【０００５】
【発明が解決しようとする課題】
第１に、汚水を逆洗式の物理ろ過手段により固形汚物を処理することで、生物処理槽の循環処理が可能となり、酸素補給と栄養補給との作用促進させて微生物を活性化させ、大きな処理となし、生物処理槽の効率をアップさせ、トータルとして汚水処理能力の向上を計り、それでいて処理装置がシンプルで構造物としてのスペースを小さできる汚水の処理方法を提供すること。第２に、第１の課題に加えて、大規模な沈殿槽を必要とせず、物理的ろ過手段の採用と循環式生物処理槽とで大規模な沈殿槽を不要とした汚水の処理方法を提供すること。第３に、第１又は第２の課題に加えて、前記生物処理槽の底部を移送側から返送側へ浅くなるように傾斜したことにより、生物処理が簡単により確実にできる汚水の処理方法を提供すること。第４に、汚水を逆洗式の物理ろ過手段により固形汚物を処理することで、生物処理槽の循環処理が可能となり、酸素補給と栄養補給との作用促進させて微生物を活性化させ、大きな処理となし、生物処理槽の効率をアップさせ、トータルとして汚水処理能力の向上を計り、それでいて処理装置がシンプルで構造物としてのスペースを小さできる汚水の処理装置を提供すること。第５に、第４の課題に加えて、大規模な沈殿槽を必要とせず、物理的ろ過手段の採用と循環式生物処理槽とで大規模な沈殿槽を不要とした汚水の処理装置を提供すること。第６に、第４又は第５の課題に加えて、前記生物処理槽の底部を移送側から返送側へ浅くなるように傾斜した底とし、この移送側底部に汚物の排出口を設けたことにより、生物処理が簡単により確実にできると共に、汚水の処理された汚物を自動的に排出でき汚水の処理装置を提供すること。第７に、第４乃至第６のいずれかの課題に加えて、前記生物処理槽の移送側と返送側との間を縦横の枠状の仕切り壁内に独立したろ過膜担体を装着した生物処理槽にしたことにより、メンテナンスが独立したろ過膜担体ごとに、随時、簡単に、素早く、汚水の循環処理を止めることなくできる汚水の処理装置を提供すること。
【０００６】
【課題を解決するための手段】
本発明は上記課題を解決するために、第１に、汚水を回転逆洗ろ過手段により処理し、この物理処理された処理水を生物処理槽にて循環処理したことを特徴とする汚水の処理方法である。第２に、汚水を並設した複数の回転逆洗ろ過手段により処理し、各々の物理処理された処理水をさらに並設した複数の生物処理槽にて循環処理したことを特徴とする汚水の処理方法である。第３に、前記生物処理槽の底部を移送側から返送側へ浅くなるように傾斜したことを特徴とする請求項１又は請求項２に記載の汚水の処理方法である。第４に、回転逆洗砂ろ過装置と生物処理槽とを送水管で連結し、この生物処理槽の移送側と返送側との間を循環ポンプを介在させた送水管で連結したことを特徴とする汚水の処理装置である。
第５に、並設した複数の回転逆洗ろ過過装置と、各々の物理処理された処理水をさらに並設した複数の生物処理槽とをそれぞれ送水管で連結し、これらの生物処理槽の移送側と返送側との間を循環ポンプを介在させた送水管でそれぞれ連結したことを特徴とする汚水の処理装置である。第６に、前記生物処理槽の底部を移送側から返送側へ浅くなるように傾斜した底とし、この移送側底部に汚物の排出口を設けたことを特徴とする請求項４又は請求項５に記載の汚水の処理装置である。第７に、前記生物処理槽の移送側と返送側との間を縦横の枠状の仕切り壁内に独立したろ過膜担体を装着した生物処理槽にしたことを特徴とする請求項４乃至請求項６のいずれか１項に記載の汚水の処理装置である。
【０００７】
【実施の形態】
以下、本発明の汚水の処理方法とその処理装置について、図１乃至図９の各実施例に基ずいて説明する。本発明の汚水とは、河川水、湖沼水、池水、地下水の「原水」と、また、汚水は、一般に大小便の排水を言い、家庭等からの排水は雑排水と言われているが、これらの汚水、雑排水の他に、食品工業、農・工業用水等からの排水をも含めて「汚水」といい、本願発明においては、「原水」と「汚水」とを、以下単に、「汚水」という。そして、従来の汚水処理は、大規模な沈殿槽が必要だったり、一種の物理的濾過装置である膜処理装置のものでも生物処理槽が必要であり、この生物処理槽を無くしても後処理としての活性炭処理装置が必要か前処理の生物処理槽に代えて凝集処理装置が必要であった。特に沈殿槽は大型のものを必要とし、かつ、生物処理槽も大型化し、その設置面積を広くせねばならなく、コストアップになっていた。また、これらの生物処理槽、沈殿槽、凝集処理装置等の管理・補修等には時間と労力と費用とがかかるものである。
【０００８】
先ず、河川水、湖沼水、池水、地下水等の原水に適用した実施例を図９に基ずいて説明する。原水を回転逆洗ろ過手段１０１により処理し、この物理処理された処理水を生物処理槽１０２にて循環処理した原水の処理方法である。さらに、好ましくは、原水を並設した複数の回転逆洗ろ過手段１０１、１０１、…により処理し、各々の物理処理された処理水をさらに並設した複数の生物処理槽１０２、１０２…にて循環処理した原水の処理方法である。また、図示したように、前記生物処理槽１０２の底部を移送側から返送側へ浅くなるように傾斜した原水の処理方法である。上述の原水の処理方法を実現させる処理装置は、回転逆洗砂ろ過装置１０１と生物処理槽１０２とを送水管１０３で連結し、この生物処理槽の移送側と返送側との間を循環ポンプ１０４を介在させた送水管１０５で連結した原水の処理装置である。そして、大きな湖水等の場合は、図示したように、並設した複数の回転逆洗ろ過装置１０１、１０１、…と、各々の物理処理された処理水をさらに並設した複数の生物処理槽１０２、１０２…とをそれぞれ送水管１０３で連結し、これらの生物処理槽の移送側と返送側との間を循環ポンプ１０４を介在させた送水管でそれぞれ連結した原水の処理装置である。さらに、好ましくは、この生物処理槽１０２の底部を移送側から返送側へ浅くなるように傾斜した底とし、この移送側底部に汚物の排出口１０６を設けるとよい。さらに、この生物処理槽の移送側と返送側との間を縦横の枠状の仕切り壁１０７、１０８により独立したろ過膜担体１０９とした生物処理槽にするとよい。
【０００９】
さらに、好適な回転逆洗ろ過装置１０１として図１乃至図３に示すように、粒状ろ材からなるろ槽１と空間部２とが内部上下方向に形成されている横型のドラム３と、この横型のドラム３の外からその軸心部を貫通し原水流入兼汚水流出用第１流水部４が空間部２内に位置している原水流入兼汚水流出用第１流水管５と、前記横型のドラム３の外からその軸心部を貫通しろ水流入兼洗浄水流出用第２流水部６がろ槽１内に位置しているろ水流入兼洗浄水流出用第２流水管７とを有するろ過装置において、板状の種々（例えば金網、金属製や合成樹脂製の多孔板等）なろ過網８を横型のドラム３の濾槽１内に直接或いはフランジ等にボルト・ナットや溶接或いは接着等で取付けられ、或いは好ましくは蓋９の内面の略全面に蓋の４方端に設けた口字状の部材やフランジを介して溶接等で固定され、または、ろ槽１内に或いは蓋９の内面にボルト・ナット等で着脱自在に付設してある。この口字状の部材やフランジによってろ過網８は、横型のドラム３の内面と略面一に付設されている。また、ろ過網８と蓋９との間隙１３にろ過されたろ水が集水され又は洗浄水（原水でもよい、以下洗浄水という）を通水させるためろ水流入兼洗浄水流出用第２流水部６と連通されている。この蓋９は横型のドラム３にボルト・ナット等で着脱自在に取付けられている。さらに、図示していないが、原水流入兼汚水流出用第１流水部４に板状の種々（例えば金網、金属製や合成樹脂製の多孔板等で、好ましくはウェッジワイヤー）なろ過網８、即ちウェッジワイヤー８は板に切込みにより形成された多数のスリットとで構成され、この板の上下左右の縁部を部材やフランジを介してボルト・ナットで交換自在に取り付け、蓋は着脱自在に取り付けられている。そして横型のドラム３のろ槽１内に直接或いはフランジ等で溶接或いは接着、ボルト・ナット等で固定され、或いは好ましくは蓋９の内面の略全面に蓋の４方端に設けた口字状の部材やフランジを介して溶接等で固定され、または、ろ槽１内に或いは蓋９の内面にボルト・ナット等で着脱自在に付設し、原水流入兼汚水流出部位でも補助的なろ過手段を付設してもよい。この横型のドラム３と原水流入兼汚水流出用第１流水管５とは図示していないが、ダストシール、グランドパッキング等を介在させた軸受けで嵌合させ、軸受けと横型のドラム３の端壁とが固定されているとともに、該軸受けを付設されているギヤスプロケット１７をモータ１８の駆動力で回転（プーリとベルト駆動でもよい）させることで、基台１９の支持枠２０上で、支持枠２０に１２０度間隔に取付けた３個（大型の場合は６個等でもよい）のカムフォロア（球面外輪）２１…により横型のドラム３を回転自在に支持させてある。また、ろ過網８と連通されているろ水流入兼洗浄水流出用第２流水部６がろ槽１内に位置し、該ろ水流入兼洗浄水流出用第２流水部６と連通させるろ水流入兼洗浄水流出用第２流水管７を横型のドラム３の他端に軸受けと一体的に固定され、該軸受けと基台１９の支持枠２０上で、横型のドラム３を回転自在に支持させてある。
【００１０】
また、図１、図４に示すように、横型のドラム３の外周に少なくとも１条で好ましくは２本のレール５０を付設し、該レール５０を案内する好ましくは対のガイド溝５１ａ、５２ａを設けたローラ５１、５２で支持した、この対のガイド溝ローラ５１、５２はＵ字型の枠５３、５４に軸５５、５６で回動自在に取り付けられ、これらの枠は上記レール５０を挟持するように基台１９上に溶接等で取り付けてある。また、図示していないがレールを凹溝とし、ローラを凸としてもよいので、以下、レールとガイドを設けたローラとは上述の両者を含む。このような横型の遊びのあるドラム３の支持により、ドラムの回転軸のセンターだしが楽にでき、ろ過槽や配管等の総重量を下部で支えているのでろ過槽の大型化が可能となり、大規模な汚水処理を可能とし、駆動部側のカムフロアー等の負担を軽減し、機構を簡潔にでき、故障の少ない処理装置ができる。なお、前後左右に遊びのあるドラム３の支持にしたので、原水流入兼汚水流出用第１流水管５と濾水流入兼洗浄水流出用第２流水管７との配管の所望部位をフレキシブルジョイント５７、５８としてある。符号５９は吊り金具である。
【００１１】
さらに、ドラム３の外からその軸心部を貫通し原水流入兼汚水流出用第１流水部４が空間部２内に位置している原水流入兼汚水流出用第１流水管５の取り付け角度を、粒状ろ材の上方でろ材の安定角よりドラムの回転方向へ略９０度の範囲内とした。好ましくはろ材の安定角より６０度（略真上）とするとよい。これにより、粒状ろ材からなるろ槽１の逆洗時に粒状ろ材が崩れ始める安定角（粒状濾材の径、材質、回転速度等で異なるが略３０度）よりドラムの回転角が大きくなり、土砂崩れのように粒状ろ材が崩れ始めてろ材が巻き上っても、流水管５が離れた位置なので、流水管５より粒状ろ材が流れ出ることを防止できる。
さらにまた、原水流入兼汚水流出用第１流水管又はろ水流入兼洗浄水流出用第２流水管に、ろ過時に原水流入又は処理水流出時に全開となり、逆洗洗浄時に於いては洗浄汚水流出又は洗浄水流入時に絞り開口となる弁を付設した、図５に示すように、好ましくはろ水流入兼洗浄水流出用第２流水管７に連通する側の配管に、弁筐６０内に軸６２により弁座６６に対して開閉するバタフライ弁６１が取り付けられ、このバタフライ弁６１には絞り孔６３が穿設されており、弁の取換え等のため弁筐６０の上部に蓋６４がボルト６５により取り付けられている。このような弁により、洗浄水（点線の矢印方向）の流れに対しては所望の流量が自動的に得られ、処理された水（ろ水の流れ方向は実線の矢印方向）が流れ出る時には全開となり、かつドラム内には圧が掛からないのでなんら不都合は生じない。
【００１２】
なお、濾過網８を付設し連通されているろ水流入兼洗浄水流出用第２流水部６が下になるように横型のドラム３の回転が停止されるよう、横型のドラム３の所望位置に図示していないカムを設け、該カムと接触するカムスイッチとでろ水流入兼洗浄水流出用第２流水部６が下になるように横型のドラム３の回転が停止されるになっている。この機構は濾水流入兼洗浄水流出用第２流水部６が下になるような位置をセンサー（図示していない）で検知したり、回転する軸受け等の回転角をセンサー（図示していない）で検知して、ろ水流入兼洗浄水流出用第２流水部６が下になるように横型のドラム３の回転を停止させてもよい。また、図示していないが、ろ材がドラムの回転を支持する流水管の軸受部に入込むのを防止するために、横型のドラム３の回転を支持する軸心部として機能する原水流入兼汚水流出用第１流水管５の内側に防砂パッキン等を装着してある。さらに、軸受けと回動しなくかつ上記濾水流入兼洗浄水流出用第２流水管７と連通し合う固定管とは、ダストシール、グランドパッキング、グランド押え等を介して取付けられている。また、バルブコントロール２５が配管上にとりつけられ後述の原水や洗浄水を選択的に横型のドラム３内に給配する。符号２６は原水入口、符号２７は処理水出口、符号２８は排水出口である。
【００１３】
さらには、好適な生物処理槽１０２として図６乃至図８に示すように、前後左右に設けたコンクリート壁１１０、１１１と移送側から返送側へ深さが浅くなるコンクリート底壁１１２とよりなり、回転逆洗砂ろ過装置１０１から移送されてくる処理水の投入口１１３は好ましくは底壁１１２の近房で開口するとよい。また、返送側に処理水を処理水槽又は湖へ送水する処理水移送ポンプ１１４を付設し、この処理水移送ポンプ１１４を付設した返送側と処理水の投入口を設けた移送側との間にコンクリート壁１１０、１１１より高さがやや低い縦横の枠状の仕切り壁１０７、１０８により独立した空間とし、この空間内に独立したろ過膜担体１０９を設けてある。この生物処理槽やろ過膜担体１０９は、スポンジ、軽量骨材、プラスチック粒子、セラミックス、アンスラサイト、活性炭、砂等の粒状ろ材を充填したろ材層で着脱自在に独立した空間に装着してある。その装着のために、枠状の仕切り壁１０８の下端とコンクリート壁１１１の下方とに形成された突起１１５、１１６により支持される。なお、送側であるコンクリート壁１１０の縦横の枠状の仕切り壁１０７、１０８とは底壁１１２と一体に構成されており、処理水はこの仕切り壁の上端壁の部位でオーバーフローするようになっている。そして、好ましくは、ヘチマロン（商品名）を用いるとよい。また、この生物処理槽の移送側と返送側との間を循環ポンプ１０４を介在させた送水管１０５で連結してあり、各枠状の仕切り壁１０７、１０８よりオバーフローされた処水は、次々と独立したろ材層で処理される。さらに、傾斜した底の移送側底部に汚物の排出口１０６を設けると処理された汚物は自動的に排出される。このようなろ過装置と組み合わされ、処理水が循環される生物処理槽によれば、処理水の汚れ具合にもよるが、最低５年間はろ材の交換が必要ないようなデータが得られた、汚れが酷くない湖水の場合は全くろ材の交換を必要としない。
【００１４】
そして、大きな湖水等の場合は、図９に示したように、並設した複数の回転逆洗ろ過装置１０１、１０１、…と、各々の物理処理された処理水をさらに並設した複数の生物処理槽１０２、１０２…とをそれぞれ送水管１０３で連結し、これらの生物処理槽の移送側と返送側との間を循環ポンプ１０４を介在させた送水管でそれぞれ連結した原水の処理装置である。なお、符号１１７は複数の回転逆洗ろ過過装置１０１の前方に設けている原水槽で付設されているろ過ポンプにより各回転逆洗ろ過装置１０１、１０１、…へと配管を介して送水される、また、符号１１８は複数の生物処理槽１０２、１０２…の処理された水を溜めるための処理水槽で、付設されている処理水送水ポンプで配管を介して湖等へ送水されるが、これらの原水槽とろ過ポンプや処理水槽を省略して、直接湖等から原水送水ポンプで各回転逆洗ろ過装置へ取水したり各生物処理槽より直接湖等へ処理水送水ポンプで送水してもよい。符号１１７は原水槽、符号１１８は処理水槽であって、本発明の汚水の処理装置を採用すれば、これらの水槽はなくてもよく、それだけコストや設備のスペースを小さくできる。
【００１５】
次ぎに、これらの汚水処理装置の使い方について説明する。図９に示すように大きな湖水等の場合は、並設した複数の回転逆洗ろ過装置１０１、１０１、…と、各々の物理処理された処理水をさらに並設した複数の生物処理槽１０２、１０２…とで、湖水等より湖水等に付設された原水送水ポンプから送水管を介して、原水槽に貯水し、この処理水を原水槽に付設されたろ過ポンプで送水管を介して、複数の回転逆洗ろ過過装置１０１へ送水し、この回転逆洗ろ過過装置は好ましくは回転逆洗砂ろ過装置１０１を用いるとよい、このような回転逆洗ろ過装置１０１、１０１、…の各々の物理処理された処理水をさらに並設した複数の生物処理槽１０２、１０２…へとをそれぞれ送水管１０３で生物処理槽１０２の移送側へと送水し、この被処理水は生物処理槽１０２の移送側から返送側へと深さが浅く底壁１１２により、各充填されているろ材層の下方より上方へと均一に流れ、処理水は最後部の仕切り壁の上端壁部位でオーバーフローされ、このようにオーバーフローされて溜まった処理水は、さらに生物処理槽１０２の返送側から、移送側へと循環ポンプ１０４を介在させた送水管１０５で返送し再度各充填されているろ材層の下方より上方へと均一に流して、例えばＢＯＤ値等が好ましい数値になるまで繰り返して生物処理槽で処理されるのである。またこの生物処理槽の底に溜まった汚物等は定期的に傾斜した底の移送側底部に設けられている汚物の排出口１０６より自動的に排出される。これらの各回転逆洗砂ろ過装置１０１と各生物処理槽１０２の運転や各ポンプを作動させての送水等の制御を各回転逆洗砂ろ過装置１０１後方に設けた各自動制御盤により制御されていて、小さい汚水場の場合は回転逆洗砂ろ過装置１０１と所望数又は一基の生物処理槽１０２の運転により汚水を処理する。この場合も運転やポンプの作動を自動制御盤により制御すればよい。
【００１６】
【発明の効果】
第１に、汚水を逆洗式の物理ろ過手段により固形汚物を処理することで、生物処理槽の循環処理が可能となり、酸素補給と栄養補給との作用促進できて微生物を活性化させ、大きな処理となり、生物処理槽の効率をアップさせ、トータルとして汚水処理能力の向上を計り、それでいて処理装置がシンプルで構造物としてのスペースを小さできる汚水の処理方法である。第２に、第１の効果に加えて、被処理水が例えば大きな湖水のようなものであっても、大規模な沈殿槽を必要とせず、物理的ろ過手段と循環式生物処理槽とを所望数を並設させて、大規模な沈殿槽を不要とした汚水の処理方法である。第３に、第１又は第２の効果に加えて、前記生物処理槽の底部を移送側から返送側へ浅くなるように傾斜したことにより、ろ材の交換が略必要とせず、生物処理が簡単により確実にできる汚水の処理方法である。第４に、汚水を逆洗式の物理ろ過手段により固形汚物を処理することで、生物処理槽の循環処理が可能となり、酸素補給と栄養補給との作用促進させて微生物を活性化させ、大きな処理となし、生物処理槽の効率をアップさせ、トータルとして汚水処理能力の向上を計り、それでいて処理装置がシンプルで構造物としてのスペースを小さできる汚水の処理装置である。第５に、第４の効果に加えて、大規模な沈殿槽を必要とせず、物理的ろ過手段の採用と循環式生物処理槽とで大規模な沈殿槽を不要とした汚水の処理装置である。第６に、第４又は第５の効果に加えて、前記生物処理槽の底部を移送側から返送側へ浅くなるように傾斜した底とし、ろ材の自浄作用が促進されてろ材の交換が略必要とせず、また、この移送側底部に汚物の排出口を設けたことにより、生物処理が簡単により確実にできると共に、汚水の処理された汚物を自動的に排出でき汚水の処理装置である。第７に、第４乃至第６のいずれかの効果に加えて、前記生物処理槽の移送側と返送側との間を縦横の枠状の仕切り壁内に独立したろ過膜担体を装着した生物処理槽にしたことにより、メンテナンスが独立したろ過膜担体ごとに、随時、簡単に、素早く、汚水の循環処理を止めることなくできる汚水の処理装置である。
【図面の簡単な説明】
【図１】本発明による汚水の処理装置に使用する回転逆洗ろ過装置を示す断面図である。
【図２】本発明による回転逆洗ろ過装置の第１図の平面図である。
【図３】本発明による回転逆洗ろ過装置の第１図の側面図である。
【図４】本発明による回転逆洗ろ過装置の第１図のＡ−Ａ線断面図である。
【図５】本発明による回転逆洗ろ過装置の要部の拡大図である。
【図６】本発明による汚水の処理装置に使用する生物処理槽の第７図のＡ−Ａ線断面図である。
【図７】本発明による汚水の処理装置に使用する生物処理槽を示す平面図である。
【図８】本発明による汚水の処理装置に使用する生物処理槽の第７図のＢ−Ｂ線断面図である。
【図９】本発明による汚水の処理装置の他の実施例を示す側面図である。
【符号の説明】
１　　　　　　　ろ槽
２　　　　　　　空間部
３　　　　　　　横型のドラム
４　　　　　　　原水（汚水）流入兼汚水流出用第１流水部
５　　　　　　　原水（汚水）流入兼汚水流出用第１流水管
６　　　　　　　ろ水流入兼浄水流出用第２流水部
７　　　　　　　ろ水流入兼浄水流出用第２流水管
８　　　　　　　ろ過網　　　　　　　　１８　　　　　　モータ
５０　　　　　　レール　　　　　　　　５１、５２　　　ローラ
６０　　　　　　弁筐　　　　　　　　　６１　　　　　　バタフライ弁
１０１　　　　　回転逆洗砂ろ過装置　　１０２　　　　　生物処理槽
１０３、１０５　送水管　　　　　　　　１０４　　　　　循環ポンプ
１０６　　　　　汚物の排出口　　　　　１０７、１０８　枠状の仕切り壁
１０９　　　　　ろ過膜担体　　　　　　１１０、１１１　コンクリート壁
１１４　　　　　処理水移送ポンプ
【図１】
2004050165.tif 000003
【図２】
2004050165.tif 000004
【図３】
2004050165.tif 000005
【図４】
2004050165.tif 000006
【図５】
2004050165.tif 000007
【図６】
2004050165.tif 000008
【図７】
2004050165.tif 000009
【図８】
2004050165.tif 000010
【図９】
2004050165.tif 000011